(57)【特許請求の範囲】
【請求項１】
パーソナルケア製品のためのブラシヘッド組立体接続システムであって、
前記パーソナルケア製品のハウジングにそれぞれ取り付けられた、ブラシヘッド組立体及びモータブラケットと、
前記モータブラケットに設けられたモータと、
前記パーソナルケア製品の前記ハウジングと前記モータブラケットとの間に位置したシールリングと、を備え、
前記モータの駆動軸が、前記モータブラケット、前記パーソナルケア製品の前記ハウジング、及び前記シールリングのそれぞれの底部の中央の穴に配設されるとともに、偏心軸の一端に接続された端部を有し、
前記偏心軸の他端は、中心位置から逸脱して、前記ブラシヘッド組立体に接続された作動軸に接続され、
前記ブラシヘッド組立体が、ブラシヘッドと、該ブラシヘッドに接続されたブラシヘッド取付けプラットフォームと、を有し、
前記ブラシヘッドが、弾性可撓接続部材を介して接続された外側リングと内側リングを備え、
前記外側リングは、バヨネット機構を介して、前記パーソナルケア製品の前記ハウジングに固定されており、
前記内側リングの底部に、前記作動軸に接続された自己潤滑軸受が配設されている
ブラシヘッド組立体接続システム。
【請求項２】
請求項１記載のシステムにおいて、前記モータブラケットを固定するためのボルトが前記パーソナルケア製品の前記ハウジング内に設けられているシステム。
【請求項３】
請求項１記載のシステムにおいて、前記バヨネット機構が、
前記パーソナルケア製品の前記ハウジングに構成され、下方傾斜部及び上方傾斜部を有したクランプ溝孔と、
前記ブラシヘッドの前記外側リングの外面に構成されたクランプ溝孔と、
前記ブラシヘッドの前記外側リングの底部に構成された弾性支持脚と、
を有している
システム。
【請求項４】
請求項１記載のシステムにおいて、前記シールリングが中空構造であり、かつ潤滑材の充填された内部を有している、システム。
【請求項５】
請求項１記載のシステムにおいて、前記ブラシヘッド取付けプラットフォームに機能性材料が固定されている、システム。
【請求項６】
請求項５記載のシステムにおいて、前記機能性材料が、剛毛、又はマッサージ用のラテックスシートを備えている、システム。
【請求項７】
請求項１記載のシステムにおいて、前記偏心軸の前記他端の、前記中心位置からの偏心距離は０．２ｍｍ〜１ｍｍである、システム。
【発明の詳細な説明】
【技術分野】
【０００１】
本出願は、２０１１年４月２日に中国国家知識産権局に出願された「パーソナルケア製品のためのブラシヘッド組立体接続システム」と題された中国特許出願第 201110084154.X 号の優先権の利益を主張するものであり、その全ての開示事項は参照により編入される。
【０００２】
本発明はパーソナルケア製品に係わり、特にブラシヘッド組立体接続システムに関する。
【背景技術】
【０００３】
現在、皮膚のクレンジング、マッサージあるいは他の使用のために大きなブラシヘッド組立体を有したパーソナルケア製品にとって、ブラシヘッド組立体接続システムの構成は非常に重要である。
【０００４】
従来のブラシヘッド組立体接続システムにおいては、モータが、複雑な付加的な接続部品を介してブラシヘッド組立体に接続され、この付加接続部品を介してブラシヘッド組立体が回転駆動されるようになっており、このことがエネルギー消費が大きい原因となっていた。
【０００５】
また、ブラシヘッド組立体の取付けも複雑であり、ブラシヘッド組立体は頻繁に交換されるため、ブラシヘッド組立体を組立て及び分解する上で不便を招いていた。
【先行技術文献】
【特許文献】
【０００６】
【特許文献１】米国特許公開第２００９／２９３２１２号明細書
【発明の概要】
【発明が解決しようとする課題】
【０００７】
本発明は、上記の点に鑑み、従来のブラシヘッド組立体接続システムの高いエネルギー消費の問題を解決するブラシヘッド組立体接続システムを提供する。
【課題を解決するための手段】
【０００８】
本発明は、上記問題を解決するため以下の技術的解決を提供するものである。
【０００９】
パーソナルケア製品のためのブラシヘッド組立体接続システムであって、
前記パーソナルケア製品のハウジングに各々設けられたブラシヘッド組立体及びモータブラケットと、
前記モータブラケット内に設けられたモータと、
前記モータブラケットと前記パーソナルケア製品の前記ハウジングとの間に位置したシールリングと、を備え、
前記モータの駆動軸が、前記モータブラケット、前記パーソナルケア製品の前記ハウジング、及び前記シールリングのそれぞれの底部中央における複数の穴内に配置されており、かつ該駆動軸は偏心軸の一端に接続された端部を有しており、
前記偏心軸の他端は中心位置からずれており、かつ前記ブラシヘッド組立体に接続された作動軸に接続されてなる。
【００１０】
好ましくは、モータを固定するためのボルトがパーソナルケア製品のハウジング内に配設されている。
【００１１】
好ましくは、前記ブラシヘッド組立体は、ブラシヘッドと、該ブラシヘッドに接続されたブラシヘッド取付けプラットフォームと、を有し、
前記ブラシヘッドが、弾性可撓性接続部材を介して接続された外側リング及び内側リングを備え、
前記外側リングは、バヨネット機構を介して前記パーソナルケア製品の前記ハウジングに固定されており、
前記内側リングの底部に、前記作動軸に接続された自己潤滑軸受が配設されている。
【００１２】
好ましくは、前記バヨネット機構は、
前記パーソナルケア製品の前記ハウジングに設けられ、下方傾斜部及び上方傾斜部を有したクランプ溝孔と、
前記ブラシヘッドの前記外側リングの外面に設けられたクランプ溝孔と、
前記ブラシヘッドの前記外側リングの底部に設けられた弾性支持脚と、
を有している。
【００１３】
好ましくは、前記シールリングは中空構造であり、かつ潤滑材の充填された内部を有している。
【００１４】
好ましくは、前記ブラシヘッド取付けプラットフォームには機能性材料が固定されている。
【００１５】
好ましくは、前記機能性材料は、剛毛、及び、マッサージ用のラテックスシートを備えている。
【００１６】
好ましくは、前記偏心軸の前記他端における、前記中心位置からの偏心距離は０．２ｍｍ〜１ｍｍである。
【００１７】
上記技術的解決に示したように、本発明によるブラシヘッド組立体接続システムにおいては、モータは、偏心軸及び作動軸といった簡単な部品のみを介してブラシヘッド組立体に接続される。前記モータの駆動軸が偏心軸及び作動軸を介してブラシヘッド組立体を回転駆動するためエネルギー消費は抑えられ、よって従来のブラシヘッド組立体接続システムにおける高エネルギー消費の問題を解消する。
【００１８】
本発明の実施形態又は従来技術における技術的解決をより明確に示すために、実施形態又は従来技術を説明するために参照される図面を以下簡単に説明する。以下に説明する図面は本発明のいくつかの実施形態を示したものにすぎず、当業者であれば、これらの図面に従って特別な創造性を発揮することなくその他の構成を描くことができることは明らかである。
【図面の簡単な説明】
【００１９】
【図１】本発明の一実施形態によるパーソナルケア製品の分解図である。
【図２】本発明の一実施形態によるパーソナルケア製品の部分断面である。
【図３】本発明の一実施形態によるパーソナルケア製品のハウジングの前面図である。
【図４】本発明の一実施形態によるパーソナルケア製品のハウジングの上面図である。
【図５】本発明の一実施形態によるブラシヘッド組立体の前面図である。
【図６】本発明の一実施形態によるブラシヘッド組立体の左側面図である。
【発明を実施するための形態】
【００２０】
以下、本発明の実施形態を示す図面を参照して、本願の実施形態における技術的解決を明確かつ詳細に説明する。以下説明する実施形態は、本願の実施形態の全てではなく一部であることは明らかである。本発明の実施形態に基づいて、当業者によって創造性を発揮することなく得られる他の全ての実施形態は本願の保護範囲に含まれる。
【００２１】
実施形態によって例示される本発明は、従来のブラシヘッド組立体接続システムにおける高いエネルギー消費の問題を解消するブラシヘッド組立体接続システムを提供する。
【００２２】
図１及び図２を参照すると、本発明の一実施形態によるパーソナルケア製品のためのブラシヘッド組立体接続システムは、モータ１０、モータブラケット１１、シールリング１２、偏心軸１４、及びブラシヘッド組立体を備え、
前記ブラシヘッド組立体及び前記モータブラケット１１は該パーソナルケア製品のハウジング１３に取り付けられており、
前記モータブラケット１１はモータ１０を受けるための溝を備え、モータ１０が、モータブラケット１１内の該溝内に固定されており、
前記シールリング１２は、モータブラケット１１と該パーソナルケア製品のハウジング１３との間に位置し、かつ、
前記モータブラケット１１、シールリング１２、及び、パーソナルケア製品のハウジング１３のそれぞれの底部中央には、穴が設けられている。組立ての際には、モータ１０の駆動軸は、モータブラケット１１、シールリング１２、及びパーソナルケア製品のハウジング１３の前記穴を順に貫通し、かつ前記モータ１０の駆動軸の一端はパーソナルケア製品のハウジング１３から突出して、前記偏心軸１４の一端に接続される。偏心軸１４の他端は中心位置からずれており、作動軸（図示せず）の一端に接続される。作動軸の他端はブラシヘッド組立体に接続される。
【００２３】
本発明のこの実施形態によるブラシヘッド組立体接続システムでは、モータ１０は、前記偏心軸１４及び作動軸といった単純な部品のみを介してブラシヘッド組立体に接続されている。モータ１０の前記駆動軸は前記偏心軸１４及び前記作動軸を介してブラシヘッド組立体を回転駆動し、このことがエネルギー消費の低減をもたらし、これによって従来のブラシヘッド組立体接続システムにおける高エネルギー消費の問題を解消する。
【００２４】
本発明の実施形態においては、前記偏心軸１４は例えば０．２ｍｍから１ｍｍの範囲の偏心距離を有るもので、その偏心距離は０．４ｍｍ又は０．６ｍｍとすることができる。この偏心軸１４の構成によって、前記作動軸はモータの前記駆動軸によって駆動され、モータの駆動軸回りの円形の動きを生じ、同時に、他の固定部品に関連して自身の軸線回りの回転を生む。偏心軸１４に位置付けされた前記作動軸は、ブラシヘッド組立体の底部中央の溝に自己潤滑軸受２１を介して固定され、該作動軸がブラシヘッド組立体を回転駆動するようになされる。
【００２５】
図２にも示す通り、上記実施形態による前記シールリング１２は中空構造であり、該シールリング１２の内側及び外側はそれぞれディスク構造２５であって、かつ該シールリング１２の内部には潤滑材で満たされた漏斗状凹所２６が形成されている。つまりこの構造は単に潤滑機能を有するのみならず、前記パーソナルケア製品の内部と外部とを完全に分離したものとしている。
【００２６】
本発明の実施形態による前記パーソナルケア製品の前記ハウジング１３の構成は図３に示してある。パーソナルケア製品のハウジング１３の底部中心に、前記シールリング１２の構造に適合する溝構造１９が構成されており、かつ該パーソナルケア製品のハウジング１３内にボルト２０が配設されており、さらに、該ボルト２０によって、パーソナルケア製品のハウジング１３内にモータブラケット１１が固定されてもよい。これにより、パーソナルケア製品のハウジングを貫通する固定部材を使わずにモーターを取り付けることが可能である。好ましくは、４本のボルト２０が配設されている。
【００２７】
図１、図２、図５及び図６に示すように、上記実施形態によるブラシヘッド組立体は、ブラシヘッド１５と、該ブラシヘッド１５に接続されたブラシヘッド取付けプラットフォーム１７とを備え、
前記ブラシヘッド１５は、弾性可撓接続部材２２によって接続された外側リング及び内側リングを有し、
前記ブラシヘッドの前記外側リングは、バヨネット機構によってパーソナルケア製品の前記ハウジング１３に固定することでき、そして、
前記作動軸に接続された前記自己潤滑軸受２１が、前記ブラシヘッドの前記内側リングの底部に配されている。
【００２８】
前記弾性可撓接続部材２２によって、前記ブラシヘッドの内側リングは、前記作動軸に沿った円形状の動きのみ可能となり、自身の軸線回りには動かないか、僅かな動きしか示さない。また、前記作動軸と、前記ブラシヘッドの内側リングの底部における前記溝との間にある前記自己潤滑軸受２１は、該ブラシヘッドが前記作動軸に沿って自身の軸線回りには回らないか、あるいは僅かしか回らないことを保証している。
【００２９】
また、機能性材料が前記ブラシヘッド取付けプラットフォーム１７に、スナップ式取付け法によって、あるいはラッピングによって、あるいは他の適当な方法によって固定されている。固定材料は必要に応じて選択でき、例えば固定材料は、クレンジング用の剛毛、マッサージ用のラテックスシート、等である。
【００３０】
図４及び図６に示すように、前記バヨネット機構は、前記パーソナルケア製品のハウジングに配されたクランプ溝孔２３と、ブラシヘッドの外側リングの外面に設けられたクランプ溝孔１６と、ブラシヘッドの外側リングの底部に設けられた弾性支持脚１８とを備え、かつ、前記パーソナルケア製品のハウジングに設けられた前記クランプ溝孔２３は、下方傾斜部及び上方傾斜部を有した構成となっている。
【００３１】
ブラシヘッド組立体をパーソナルケア製品のハウジングに取り付けるには、ブラシヘッド組立体を回しながら押し付け、ブラシヘッド組立体の外側リングが前記クランプ溝孔２３を押して、パーソナルケア製品のハウジングの前記底部内に入り込み、そして、前記クランプ溝孔１６が前記弾性支持脚１８を介してクランプ溝孔２３の頂端においてロックされ、それによってブラシヘッド組立体がパーソナルケア製品のハウジングに固定されるようになす。ブラシヘッド組立体を取り外すには、ブラシヘッド組立体を前記弾性支持脚１８の弾性によって続けて押し回すことができ、かつクランプ溝孔１６がクランプ溝孔２３から外れるまでブラシヘッド組立体を上述の取付けるときと反対方向に回転させ、それにより、ブラシヘッド組立体はパーソナルケア製品のハウジングから取り外される。
【００３２】
前記クランプ溝孔２３の数は前記クランプ溝孔１６のそれと同じであり、また、クランプ溝孔２３はクランプ溝孔１６と位置的に対応している。好ましくは、図に示すように、３つのクランプ溝孔２３及び３つのクランプ溝孔１６が設けられている。
【００３３】
本実施形態によるこのバヨネット機構は簡便なものであり、ブラシヘッド組立体を簡単に組立て・分解できるという目的を達成することができる。
【００３４】
上記実施形態については累進的な説明をしている。従って、各実施形態は主として他の実施形態と相違する点について述べており、各実施形態において同一の、あるいは同様の部位については他の実施形態による説明が参照がなされる。
【００３５】
以上説明した実施形態の説明に基づいて、当業者は本発明を実施することないし用いることができる。当業者にはこれら実施形態に対し多くの変更を加えられることが自明である。ここに規定した一般的な原理は、本発明の精神または技術的範囲から逸脱することなく他の実施形態にも適用可能である。従って、本発明はここに例示した実施形態に限定されず、ここに述べた原理及び新規な特徴に合致する最も広い範囲内において規定されるべきものである。
【符号の説明】
【００３６】
１０  モータ
１１  モータブラケット
１２  シールリング
１３  パーソナルケア製品のハウジング
１４  偏心軸
１６  クランプ溝孔
１７  ブラシヘッド取付けプラットフォーム
１８  弾性支持脚
２０  ボルト
２２  弾性可撓接続部材
２３  クランプ溝孔
【図１】
0006027088.tif 000002
【図２】
0006027088.tif 000003
【図３】
0006027088.tif 000004
【図４】
0006027088.tif 000005
【図５】
0006027088.tif 000006
【図６】
0006027088.tif 000007